(57)【特許請求の範囲】
【請求項１】
電気掃除機に接続するための接続パイプと、この接続パイプに対向した側の底面部に設けた吸込口と、吸込口より吸入される含水吸気を吸込具本体内部に導く吸気通路と、吸込具内部で吸気通路端を内包し、吸込具幅方向に沿在する両端開口の内管と、この内管を吸込具内周面と隙間を設けて保持する吸込具外郭とを具備し、前記吸込口から吸入された含水吸気に含まれる水分は、前記吸気通路端から前記内管に吹きつけられたとき、及び前記内管の両端から前記吸込具外郭の両端内面に吸気流が吹きつけられたときに水滴となる蓄水機能付き吸込具。
【請求項２】
吸込具底面側の内管と吸込具外郭との間隙には、吸水材を配置してなる請求項１記載の蓄水機能付き吸込具。
【請求項３】
吸込具外郭には、係脱自在の外蓋で開閉される開口が形成されてなる請求項１または２記載の蓄水機能付き吸込具。
【請求項４】
電気掃除機に接続するための接続パイプと、この接続パイプに対向した側の底面部に設けた吸込口と、吸込口より吸入される含水吸気を吸込具本体内部に導く吸気通路と、吸込具内部で吸気通路端を内包し、吸込具幅方向に沿在する両端開口の内管と、この内管を吸込具内周面と隙間を設けて保持する吸込具外郭とを具備し、前記吸込具外郭の上方内周面には、接続パイプへの連通口の左右に内管幅より狭い間隔でリブを形成してなる蓄水機能付き吸込具。
【請求項５】
接続パイプと、吸気通路端と、内管と、内管端部での吸込具外郭内部の通路断面積をそれぞれＳ１、Ｓ２、Ｓ３、Ｓ４とするとき、これらの関係をＳ１、Ｓ２＜Ｓ３＜Ｓ４に形成してなる請求項１〜４のいずれか１項に記載の蓄水機能付き吸込具。
【発明の詳細な説明】
【０００１】
【産業上の利用分野】
本発明は、電気掃除機に接続して使用する床用吸込具において、特に掃除面にある水分を吸入して内部に蓄え、電気掃除機本体内部には水分を分離した吸気のみを送出する床用吸込具の構成に関するものである。
【０００２】
【従来の技術】
従来、一般家庭などで使用される電気掃除機において、吸水機能を有するものは、たとえば特開昭５６−１５２６１８号公報に開示された構成のものや、実開平１−１０４９４３号公報に開示された構成のものがあった。
【０００３】
特開昭５６−１５２６１８号公報に開示のものでは、電気掃除機の主体に内蔵したファンモーターの運転によってタンク内部に含水吸気を吸入する。この吸気流は隔壁の側面に衝突した後タンク底方向へ方向を変え、塵埃や水分は底より徐々に堆積する。水面が上昇して所定位置以上になると、フロート弁がファンモーターの吸引口を閉塞し、ファンモーターへの水分の流入を防ぐ構成となっている。
【０００４】
また実開平１−１０４９４３号公報に開示のものでは、水分を含んだ吸気は、モータの吸引によって吸込口、出口側開口、ダストケースの経路で吸引されたのちフィルターで濾過され、ファン、ファン排気口、排気通路、排気口の経路で排出される。この際、フィルターによって気水分離が行われ、フィルター下方に水やいろいろな塵埃が堆積することで、電動送風機へは湿った空気のみしか吸入されないように構成している結果、電動送風機の故障防止や絶縁劣化防止が行われている。
【０００５】
【発明が解決しようとする課題】
ところが一般の家庭で、台所周辺や食卓周辺などでコップなどと一緒に誤って落とした水や飲み物などを処理しようとする場合、実開平１−１０４９４３号公報に記載の電気掃除機では処理能力が不十分で、割れたガラスの破片などを吸い取る吸込力はなく、慎重に拾い集める必要があって怪我に対する危険性がある。また本来は、手に持って扱う卓上型の掃除機のため、吸水容量も不十分で、何度もタンクをはずして排水し、再度タンクを取り付けて吸水する必要が生じる。
【０００６】
また特開昭５６−１５２６１８号公報に開示の電気掃除機は、屋外使用が主目的のため製品自体が大きく、上記使用場所では小回りが利かずに取り扱いが不便となり、いずれの場合も満足のいく使用勝手を得られない欠点を有している。
【０００７】
更に、吸水のためには掃除機全体を購入しなければならず、普段使用している本体を利用できないむだが発生する。
【０００８】
本発明はこれらの課題を解消し、安価で使用性の高い蓄水機能付き吸込具を提供することを目的とする。
【０００９】
【課題を解決するための手段】
上記課題を解消するための本発明の第一の課題解決手段は、電気掃除機に接続するための接続パイプと、この接続パイプに対向した側の底面部に設けた吸込口と、吸込口より吸入される含水吸気を吸込具本体内部に導く吸気通路と、吸込具内部で吸気通路端を内包し、吸込具幅方向に沿在する両端開口の内管と、この内管を吸込具内周面と隙間を設けて保持する吸込具外郭とを具備し、前記吸込口から吸入された含水吸気に含まれる水分は、前記吸気通路端から前記内管に吹きつけられたとき、及び前記内管の両端から前記吸込具外郭の両端内面に吸気流が吹きつけられたときに水滴となる蓄水機能付き吸込具としたものである。
【００１０】
第二の課題解決手段は、吸込具底面側の内管と吸込具外郭との間隙には、吸水材を配置するものである。
【００１１】
第三の課題解決手段は、吸込具外郭には、係脱自在の外蓋で開閉される開口を形成するものである。
【００１２】
第四の課題解決手段は、電気掃除機に接続するための接続パイプと、この接続パイプに対向した側の底面部に設けた吸込口と、吸込口より吸入される含水吸気を吸込具本体内部に導く吸気通路と、吸込具内部で吸気通路端を内包し、吸込具幅方向に沿在する両端開口の内管と、この内管を吸込具内周面と隙間を設けて保持する吸込具外郭とを具備し、前記吸込具外郭の上方内周面には、接続パイプへの連通口の左右に内管幅より狭い間隔でリブを形成するものである。
【００１３】
第五の課題解決手段は、接続パイプと、吸気通路と、内管と、内管端部での吸込具外郭内部の通路断面積をそれぞれＳ１、Ｓ２、Ｓ３、Ｓ４とするとき、これらの関係をＳ１、Ｓ２＜Ｓ３＜Ｓ４に形成するものである。
【００１４】
【作用】
本発明の第一の課題解決手段によれば、電気掃除機の接続された状態において電気掃除機を運転することにより、吸込口から含水吸気が吸入される。水分は吸気通路端から内管に吹きつけられたとき、及び内管の両端から吸込具外郭両端内面に吸気流が吹きつけられたときに水滴となり、さらにこれら水滴が集まって液となり、吸込具の内面底部に堆積する。同時に、重みのある塵埃は同様に堆積するが、軽量の塵埃や気流は、接続パイプを通じて掃除機本体に吸引され、気水分離が行える。
【００１５】
第二の課題解決手段では、吸込具内面に堆積する水分が、吸水材に吸水されることにより、吸込具を反転させても、堆積した水分が接続パイプを通って電気掃除機本体に吸引されない。
【００１６】
第三の課題解決手段では、外蓋を開いて内部に堆積している水分や塵埃を排水・排出でき、また吸水材を容易に交換できる。
【００１７】
第四の課題解決手段では、吸込具外郭内周面に沿った吸気速度をリブの吸込具端部側近傍でほぼ０とし、内周面を伝って接続パイプに吸引される水滴の移動を遮断できる。
【００１８】
第五の課題解決手段では、吸気通路〜内管、内管〜内管両端出口部での吸気流速を順次低下させ、気水分離効果を高めることができる。
【００１９】
【実施例】
以下、本発明の一実施例について図を参照して説明する。
【００２０】
図１〜図２において、１は電気掃除機のホースや延長管に接続して使用する蓄水吸込具（以下吸込具１と省略する）で、２は吸込具１の上面ほぼ中央部に形成され、前記ホースや延長管に接続することによって電気掃除機本体にこの吸込具１を連通するための接続パイプである。接続パイプ２に対向する底面３の前方には、吸込口４が吸込具１の幅方向に沿って凹状に設けられ、その前後には、床面との気密性を高めるために薄肉ゴム板Ａ５、同Ｂ６が形設されている。吸込口４の中央部には吸気通路７が連通し、吸込具１内部に吸気の通路を導いている。
【００２１】
内管８は両端が開口している上下２分割で略円筒状の筒体であり、中央部に吸気通路７の端部が位置する。上内管９は吸込具１の上外郭１０に保持され、また下内管１１は吸込具１の下外郭１２に保持されている。内管８の幅は、吸込具１幅の約８０％、また通路断面積は、吸込具１の内管８端部での横断面積の約３０％に形成されており、接続パイプ２と吸気通路７の通路断面積は、内管８の通路断面積の約１０％に形成されている。
【００２２】
１３は上外郭１０と下外郭１２に挟持されたパッキングＡで、吸込具１がテーブルや壁に当たるときの衝撃を緩和するバンパーを兼ねている。下外郭１２の後面には開口１４が形成され、パッキングＢ１５を介し、一対の蓋軸１６を回転軸にした外蓋１７により開閉自在に閉塞されている。１８は下内管１１と下外郭１２の間に配置された、吸水粉末を内蔵して全周を密閉した袋状の吸水体で、外蓋１７を開くことで出し入れができる。
【００２３】
１９は上外郭１０の内面から約５ｍｍの高さを有し、内管８の両端より接続パイプ２側に約２０ｍｍの位置で左右一対形成されたリブ、２０は移動用のローラーである。
【００２４】
次に上記構成における動作・作用について説明する。
【００２５】
吸込具１を電気掃除機のホースあるいは延長管（ともに図示せず）に接続後、電気掃除機を運転し、こぼれている水や飲み物の上で吸込具１を前後に往復移動させると、薄肉のゴム板Ａ５、同Ｂ６によって電気掃除機の真空圧力が床面に集中的に作用し、吸込口４より吸気通路７を通って水分を含んだ吸気流が内管８内に流入する。
【００２６】
吸気流は、吸気通路７の出口部より排出されて内管８に衝突するが、このとき、通路断面積がおよそ１０倍になるためやや減速され、吸気通路７からの吸気流の流出速度をＶとするとき、慣性によってほぼ同じ速度のＶの衝突速度で内管８に衝突する。
【００２７】
このとき、含まれている水分は衝突して左右に方向を変える時に水滴流になる。さらに内管８両端では、通路断面積が内管８の断面積から吸込具１の断面積の約３．４倍に広がる結果、水滴にならなかった吸気中の水分や、上記水滴は衝突速度  Ｖ／１０×２×３．４＝０．０１５Ｖ  の小さい速度で吸込具１の両端にゆっくり衝突し、完全に水滴流となって吸込具１内周面に沿って底面側に流れ落ち、吸水体１８に徐々に吸水される。
【００２８】
ところで吸水体１８は下内管１１と下外郭３の間にあり、接続パイプ２を通過する流速の約１．５％の流速のところに設置されている結果、使用中に接続パイプ２側に吸引されることはない。また、吸込具１内部に吸入された水分を吸入し、軽い塵埃に対してはその水分を吸着するため、気水分離を完全なものにするとともに、使用中に吸込具１を反転した際などに吸入した水分が接続パイプ２から電気掃除機本体に吸引されることを防ぐ。
【００２９】
この結果、軽量の塵埃は接続パイプ２を通じて電気掃除機本体内に吸引される一方、重量のある塵埃及び吸水体１８に吸収された水分は、吸込具１内部に蓄積されることとなる。
【００３０】
そしてこの蓄積された塵埃は外蓋１７を開いて排出する。また十分に水分を吸収した吸水体１８は、同じくこの外蓋１７を開いて取り出し、新しい吸水体１８に交換して元のように使用できる。なお、水分を吸収した吸水体１８は天日等で乾燥することによって再利用することができる。
【００３１】
したがって、本蓄水機能付き吸込具を手持ちの電気掃除機に接続するだけで、掃除面にある水や飲み物などの液体、さらにはガラス片などを簡単に且つ安全に吸水、吸入できるものである。
【００３２】
また、接続する電気掃除機の吸入空気量が大きい場合、水滴流の一部が上外郭１０の側壁内面に沿って吸引されるが、リブ１９の根本では、内面に沿った流速がほぼ０となって吸引が遮断され、つぎにはリブ１９に沿って流れ落ち、やがて吸水体１８に吸収されることとなる。
【００３３】
なお、上記実施例では接続パイプ２は上外郭１０に固着しているが、吸込具１に対して上下方向俯仰自在、あるいは左右回転自在であっても問題はない。
【００３４】
また、開口１４は吸込具１の後方に限定するものではなく、吸込具１の前方、上方あるいは、側方であっても良く、要は、吸込具１内部の水分あるいは吸水体１８を排出交換できるものであればよい。
【００３５】
【発明の効果】
以上の実施例から明らかなように、本発明の第１の課題解決手段によれば、電気掃除機に接続するための接続パイプと、この接続パイプに対向した側の底面部に設けた吸込口と、吸込口より吸入される含水吸気を吸込具本体内部に導く吸気通路と、吸込具内部で吸気通路端を内包し、吸込具幅方向に沿在する両端開口の内管と、この内管を吸込具内周面と隙間を設けて保持する吸込具外郭とより吸込具を構成することにより以下の効果を得る。
【００３６】
１．内管の両端から吸込具外郭両端内面に吸気流が吹きつけられたときに気水分離を行って水滴流とし、蓄水機能付き吸込具の内面底部に吸気水分や重量物を堆積する。
【００３７】
２．手持ちの電気掃除機に接続するだけで、掃除面にある水や飲み物などの液体、さらにはガラス片などを簡単に且つ安全に吸水、吸入できる。
【００３８】
したがって、安価に利用できることとなる。
【００３９】
つぎに、第２の課題解決手段によれば、内管と吸込具外郭との間隙に吸水材を配置することによって、吸込具内面に堆積する水分が吸水材に吸水され、吸込具を反転させても、堆積した水分が接続パイプを通って電気掃除機本体に吸引されない。この結果、電気掃除機本体の電動送風機を傷めることがない。
【００４０】
第３の課題解決手段によれば、吸込具外郭に、係脱自在の外蓋で開閉される開口を形成することにより、内部に堆積している水分や塵埃を容易に排水・排出でき、また吸水材を容易に交換でき、使い勝手が良くなる。
【００４１】
第４の課題解決手段によれば、吸込具外郭の上方内周面に、接続パイプへの連通口の左右に内管幅より狭い間隔でリブを形成することによって、吸込具外郭内周面に沿った吸気速度をリブの吸込具端部側近傍でほぼ０とし、内周面を伝って接続パイプに吸引される水滴の移動を完全に遮断できる。
【００４２】
さらに、第５の課題解決手段によれば、接続パイプと、吸気通路と、内管と、内管端部での吸込具外郭内部の通路断面積をそれぞれＳ１、Ｓ２、Ｓ３、Ｓ４とし、これらの関係をＳ１、Ｓ２＜Ｓ３＜Ｓ４に設定することによって、吸気通路〜内管、内管〜内管両端出口部での吸気流速を低下させ、気水分離効果を確実に行えるものである。
【図面の簡単な説明】
【図１】  本発明の一実施例を示す蓄水機能付き吸込具の中央横断面図
【図２】  同吸込具の平面図
【符号の説明】
１  蓄水吸込具
２  接続パイプ
４  吸込口
７  吸気通路
８  内管
１０  上外郭
１２  下外郭
１７  外蓋
１８  吸水体
１９  リブ
【図１】
0003740710.tif 000002
【図２】
0003740710.tif 000003